(57)【要約】【課題】コンパクトに収納できるプラスチック製２段型の弁当箱を緊締するクランプレバーに、ステンレスワイヤーを用いてレバーを強化すること。【解決手段】深い下段の容器１の上縁１’に、パッキン３を取付けたフランジ部４を重ねて、該容器を密封状態にする一段目の中皿２と、この中皿上に重ね合わされる浅い上段の容器５の上縁５’に、パッキン７を取付けたフランジ部８を重ねて、該容器本体を密封状態にする二段目の中皿６と、蓋９とからなる弁当箱であって、蓋の側縁部１１に、ステンレスワイヤー製クランプレバー１０の両端部をヒンジさせ、該レバーに形成した掛止部１２を下段の容器本体の上部側面の掛止縁１３に掛止させ、使用後には上段の容器本体を下段の容器本体内に納め、上下に重ねた中皿と蓋を被せ、閉じたレバーの掛止部を下段の容器本体の下部側面の掛止縁１４に掛止させるようにした。【選択図】図３
2005081052.tif 000002
【特許請求の範囲】
【請求項１】
比較的に深く形成した下段の容器本体と、この下段の容器本体の上縁部の上に、外周部にパッキンを取り付けたフランジ部を重ね合わせて、下段の容器本体を密封状態にする一段目の中皿と、
底部裏面を上記中皿のフランジ部に掛止させて、一段目の中皿に重ね合わされる比較的に浅く形成した上段の容器本体と、この上段の容器本体の上縁部に、外周部にパッキンを取り付けたフランジ部を重ね合わせて、上段の容器本体を密封状態にする二段目の中皿と、二段目の中皿を覆う蓋とからなるプラスチック製の２段形の弁当箱であって、
上記蓋の両側縁部に、ステンレスワイヤー製クランプレバーの両端部をそれぞれヒンジさせ、該レバーの中間に形成した掛止部を上記下段の容器本体の上部側面に具えた掛止縁に掛止させて、使用状態にある上記２段形の弁当箱を密封状態に緊締する。
一方、収納時には、下段の容器本体内に上段の容器本体を嵌合し、その上から一段目と二段目の中皿を重ね合わせて、上面を上記蓋で覆い、前記クランプレバーの掛止部を下段の容器本体の下部側面に具えた掛止縁に掛止させることによって、上記２段形の弁当箱をコンパクトに収納できるようにした弁当箱。
【請求項２】
前記下段の容器本体と上段の容器本体は、それぞれの上縁の全周を外側に張り出させて、前記パッキンの収容空間を設け、上段の容器本体の底部裏面に仲皿の底部裏面のスタッキング段部と係合するスタッキング段部を設け、
前記一段目と二段目の中皿は、それぞれのフランジ部の裏面外周に取り付けたパッキンを上記収容空間内に圧接させるように具えるとともに、底部裏面にスタッキング段部を具えて互いに同形に形成し、かつ、中皿上に、両側から箸を長さ方向に保持する箸入れ部を設けるとともに、底部の適宜位置に空気抜き用の弁を備えたことを特徴とする請求項１記載の弁当箱。
【発明の詳細な説明】
【技術分野】
【０００１】
本発明は、プラスチック製の２段型弁当箱に関するもので、プラスチック製２段型の弁当箱を緊締するクランプレバーを強化したことと、使用を終えた２段型の弁当箱をコンパクトに収納できるようにしたこととを特長とするものである。
【背景技術】
【０００２】
１段型のプラスチック製弁当箱あっては、蓋の両側縁部にステンレスワイヤー製クランプレバーの両端部をそれぞれヒンジし、中間部を容器本体の上縁部裏面に掛止させて、該レバーの緊締により弁当箱を密封状態に保持するようにしたものがある（例えば、特許文献１参照）。また、使用を終えた弁当箱をコンパクトに収納できるようにした２段型の弁当箱には、例えば本出願人の先願にアルミ製のもとかステンレス製のものがある（例えば、特許文献２、３参照）。
【０００３】
さらに、プラスチック製の２段型の弁当箱においてもクランクレバーの緊締により、弁当箱の密封状態を保持できるようにしたものがある（例えば、特許文献４参照）。
しかし、このプラスチック製２段型の弁当箱に付設されているクランプレバーは、弁当箱とともにオール樹脂製であったので、使用中にレバーの軸部が折損してレバーを使用できなくなることが多く、２段型の弁当箱に取り付けるレバーを強化する必要が生じた。
また、箸入れを弁当箱と一体に備えたものにあっては、箸入れ内の洗浄、清掃に不便があるとか、箸入れ蓋のスムーズな開閉が損なわれたり、折損し易いなどの不具合を生じ易いという欠点があった。
【０００４】
クランクレバーの強化策として、従来の１段形の弁当箱と同様に、プラスチック製２段型の弁当箱においてもステンレスワイヤーを使用することが考えられるが、使用後の弁当箱をコンパクトに収納できるようにした２段型の弁当箱に付設することに困難性があった。
【特許文献１】実開昭６２−１５１４９号公報
【特許文献２】特開２００１−８７０２５号公報
【特許文献３】特開２００１−９５６１６号公報
【特許文献４】実公平７−４１３７１号公報
【発明の開示】
【発明が解決しようとする課題】
【０００５】
以上のことから、本発明が解決しようとする第１の課題は、プラスチック製２段型の弁当箱において、弁当箱を密封状態に緊締するクランクレバーに、ステンレスワイヤーを使用してレバーを強化することと、使用を終えたプラスチック製の２段型の弁当箱をコンパクトに収納できるようにすることとを両立させることにある。
第２の課題としては、プラスチック製の２段型弁当箱に、蓋付きではなく、前述のような不具合が生じ難く、洗浄が容易にできる箸の収納部を設けることと、密封用のパッキンの収容部の清掃を容易にすることにある。
【課題を解決するための手段】
【０００６】
そこで本発明は、上記の課題を解決するために、比較的に深く形成した下段の容器本体と、この下段の容器本体の上縁部に、外周部裏面にパッキンを取り付けたフランジ部を重ね合わせて、下段の容器本体を密封状態にする一段目の中皿と、
底部裏面を上記中皿のフランジ部に掛止させて、一段目の中皿に重ね合わされる比較的に浅く形成した上段の容器本体と、上記上段の容器本体の上縁部に、外周部裏面にパッキンを取り付けたフランジ部を重ね合わせて、上段の容器本体を密封状態にする二段目の中皿と、二段目の中皿を覆う蓋とからなるプラスチック製の２段形の弁当箱であって、
上記蓋の両側縁部に、ステンレスワイヤー製クランプレバーの両端部をそれぞれヒンジさせ、該レバーの中間部に形成した掛止部を上記下段の容器本体の上部側面に具えた掛止縁に掛止させて、使用状態にある上記２段型の弁当箱を密封状態に緊締する。
一方、収納時には、下段の容器本体内に上段の容器本体を嵌合し、その上から一段目と二段目の中皿を重ね合わせて、上面を上記蓋で覆い、前記クランプレバーの掛止部を下段の容器本体の下部側面に具えた掛止縁に掛止させることによって、この２段型の弁当箱をコンパクトに収納できるようにした弁当箱を提供するものである。
【０００７】
請求項２の発明は、下段の容器本体と上段の容器本体は、それぞれの上縁部の全周を外側に張り出させて、内側に中皿側に取り付けられているパッキンの収容空間を設け、上段の容器本体の底部裏面に中皿の底部裏面のスタッキング段部と係合するスタッキング段部を設け、
一段目と二段目の中皿は、それぞれのフランジ部の裏面外周に取り付けたパッキンを上記収容空間内に圧接させるように具え、底部裏面にスタッキング段部を具えて互いに同形に形成し、かつ、中皿上に、両側から箸を長さ方向に保持する箸入れ部を設けるとともに、底部の適宜位置に空気抜き用の弁を備えたことを特徴とするものである。
【０００８】
本発明に係る２段型弁当箱は、例えば下段の容器本体にご飯を詰めて一段目の中皿を被せ、一段目の中皿の上に、おかずを詰めた上段の容器本体を載せて二段目の中皿を被せ、上下いずれかの中皿の箸入れ部に箸を保持させ、その上から全体を覆う蓋を被せてクランクレバーの中間にある掛止部を下段の容器本体の上部掛止部に係合させることによって２段に重ねた弁当箱の密封状態を維持する。
【０００９】
使用を終えて空になった弁当箱は、下段の容器本体内に上段の容器本体を嵌合し、一段目と二段目の中皿を重ねて上段の容器本体上に載せ、蓋を被せるとともに両側縁部に取り付けられているクランクレバーを下げて、中間にある掛止部を下段の容器本体の下部側面に設けた掛止縁に掛止させることによって、高さの低いコンパクトな収納状態を形成する。この収納状態においてもクランクレバーの緊締作用が働くので取り扱いが容易である。
【発明の効果】
【００１０】
本発明のプラスチック製２段型の弁当箱は、弁当箱を密封状態に緊締するクランクレバーに、ステンレスワイヤーを使用したので、使用中のレバーの軸部の折損を防止することができ、２段型の弁当箱に取り付けるレバーを強化することと、使用を終えたプラスチック製の２段型の弁当箱をコンパクトに収納できるようにすることとを両立させることができた。
【００１１】
また本発明に係る弁当箱は、中皿の上に蓋のない箸入れ部を備えたので、箸入れ蓋の開閉が不要になるとともに収容部内の洗浄が容易にでき、また、同蓋の折損もない。
さらに、下段の容器本体と上段の容器本体を密封状態にするパッキンを中皿のフランジ部の裏面外周に取り付け、容器本体の上縁部内側に具えた収容部と密着させるようにしたので、パッキンの着脱と収容部内の洗浄が容易になって、弁当箱の衛生的な使用ができる。
【発明を実施するための最良の形態】
【００１２】
コンパクトに収納できるプラスチック製２段型の弁当箱を、蓋の両側縁部に基端部をヒンジしたステンレスワイヤー製クランプレバーの開閉により密封できるようにする。
下部と上部の容器本体に、それぞれフランジ部の裏面外周にパッキンを取り付けた中皿を載せて密封するようにしたので、それぞれの容器本体に収容した食品の臭いとか湿気が遮断されて、使用感に優れ、衛生的に使用できる弁当箱を提供することができる。
【実施例１】
【００１３】
図１は、実施例の平面図、図２は、使用状態を示す一部切欠正面図、図３は、使用状態の一部切欠側面図、図４は、収納状態を示す一部切欠側面図である。
【００１４】
実施例を示す図において、１は、比較的に深く形成した下段の容器本体、２は、下段の容器本体１の上縁部１’に、外周部裏面にパッキン３を取り付けたフランジ部４を重ね合わせて、下段の容器本体１を密封状態にする一段目の中皿、５は、底部裏面を中皿２のフランジ部４に掛止させて、一段目の中皿２に重ね合わされる比較的に浅く形成した上段の容器本体、６は、上段の容器本体５の上縁部５’に、外周部裏面にパッキン７を取り付けたフランジ部８を重ね合わせて、上段の容器本体５を密封状態にする二段目の中皿、９は、
二段目の中皿６を覆う蓋である。
なお、下段の容器本体１と上段の容器本体５は、それぞれの上縁部１’、５’の全周を外側に張り出させて、内側に中皿側２、６に取り付けられているパッキン３、７の収容空間１８を設けている。
【００１５】
１０は、蓋９の両側縁部１１に両端部をそれぞれヒンジさせた、ステンレスワイヤー製のクランプレバーである。
該レバー１０は、中間部に形成した掛止部１２（この実施例においては下辺の両端に形成している）を上記下段の容器本体１の上部側面に具えた掛止縁１３に掛止させて、使用状態にあるこの２段型の弁当箱の密封状態を緊締する。
【００１６】
図２、３に示すように２段に重ねたこの弁当箱は、使用後に空になった下段の容器本体１の中に上段の容器本体５を嵌合し、その上から一段目と二段目の中皿２、６を重ね合わせて載せ、その上面を蓋９で覆い、前記クランプレバー１０の掛止部１２を下段の容器本体１の下部側面に具えた掛止縁１４に掛止させることによって、図４に示すように、この２段型の弁当箱をコンパクトに収納できるようにした。
【００１７】
なお図中、１５は上段の容器本体５の底部裏面と、一段目と二段目の中皿２、６の底部裏面とに角部の全周にわたってそれぞれ形成したスタッキング段部で、上段の容器本体５の段部１５は、使用状態に重ねた場合に一段目の中皿２のフランジ部４の内角と係合し、一段目と二段目の中皿２、６の段部１５は、収納状態に重ね合わせたときに互いのずれを防止する。また、一段目と二段目の中皿２、６は、互いに同形に形成されており、上下の組み合わせを自由にした使い勝手の良さと、コストダウンができるようにしている。
また、中皿２、６上に、両側から箸を長さ方向に保持する箸入れ部１６を設けることにより弁当箱と共に長い箸を携行して使用することができる。さらに底部の適宜位置に空気抜き用の弁１７を備えることによって、容器本体に詰める食品から発生する湿気を器具外に放散でき、温度差に基づく負圧の解消ができる。
【産業上の利用可能性】
【００１８】
本発明に係る２段型の弁当箱の大きさ、クランプレバーの形状、該レバーに備える掛止部と容器本体側に備える掛止縁の位置と大きさなどは、本発明の要旨に沿って適宜に定めることができる。
【図面の簡単な説明】
【００１９】
【図１】実施例の平面図である。
【図２】２段に重ねた使用状態を示す一部切欠正面図である。
【図３】同上使用状態の一部切欠側面図である。
【図４】コンパクトにした収納状態を示す一部切欠側面図である。
【符号の説明】
【００２０】
１  下段の容器本体  （１’  上縁部）
２  一段目の中皿
３  パッキン
４  フランジ部
５  上段の容器本体  （５’  上縁部）
６  二段目の中皿
７  パッキン
８  フランジ部
９  蓋
１０  クランクレバー
１１  側縁部
１２  掛止部
１３  掛止縁
１４  掛止縁
１５  スタッキング段部
１６  箸入れ部
１７  通気用弁
１８  パッキンの収容空間
【図１】
2005081052.tif 000003
【図２】
2005081052.tif 000004
【図３】
2005081052.tif 000005
【図４】
2005081052.tif 000006